(57)【要約】【課題】貝係止具に係止した貝が、貝係止具のピンに形成した貝係止突起の倒伏によりピンから脱落することがあった。【解決手段】ロープ及び貝の孔に差込み可能な細長のピンに突設した貝係止突起の先端部をピンの外周よりも外側まで突出させて、貝係止突起に係止された貝がピンから抜け落ちないようにした。ピンにロープからの抜けを規制する第一のロープ止め突起と第二のロープ止め突起とを突設し、両突起をピンの外周の反対方向に突設し、ピンに貝の抜けを規制する貝止め突起が突設された貝係止具を、第一のロープ止め突起と第二のロープ止め突起を連結することにより多数本連結し、連結した貝係止具をロール状に巻き取り可能とした。【選択図】      図１
2005006568.tif 000002
【特許請求の範囲】
【請求項１】
ロープ及び貝の孔に差込み可能な細長のピン（２）に、ロープからのピン（２）の抜けを規制するロープ止め突起（３）が突設され、ピン（２）のうちロープ止め突起（３）よりも外側に貝の抜けを規制する貝止め突起（５）が突設された貝係止具（１）において、貝止め突起（５）の先端部（５ａ）がピン（２）の外周面よりも外側まで突出することを特徴とする貝係止具。
【請求項２】
ロープ及び貝の孔に差込み可能な細長のピン（２）に、ロープからのピン（２）の抜けを規制する第一のロープ止め突起（３）と、第二のロープ止め突起（４）とが突設され、両ロープ止め突起（３、４）はピン（２）の外周の反対側に突設され、ピン（２）のうち第一、第二のロープ止め突起（３、４）よりも外側に貝の抜けを規制する貝止め突起（５）が突設された貝係止具において、貝止め突起（５）の先端部（５ａ）がピン（２）の外周面よりも外側まで突出することを特徴とする貝係止具。
【請求項３】
請求項１又は請求項２記載の貝係止具において、貝止め突起（５）がその立ち上がり部（５ｂ）からピン（２）の外側に斜めに突設され、又は立ち上がり部（５ｂ）の先方途中からピン（２）の外側に斜めに屈曲して突設されて、貝止め突起（５）の先端部（５ａ）がピン（２）の外側に突出することを特徴とする貝係止具。
【請求項４】
請求項１又は請求項２記載の貝係止具において、貝止め突起（５）がその立ち上がり部（５ｂ）からピン（２）の外側に斜めに湾曲して突設されて、又は立ち上がり部（５ｂ）の先方途中からピン（２）の外側に斜めに湾曲して突設されて、貝止め突起（５）の先端部（５ａ）がピン（２）の外側に突出することを特徴とする貝係止具。
【請求項５】
請求項１乃至請求項４のいずれかに記載の貝係止具（１）が十数本〜数十本配列され、それら貝係止具（１）は各ピン（２）の長手方向両端が貝係止具（１）の配列方向に細長のランナー（１０）と一体成型されて連結されたことを特徴とする連結貝係止具。
【請求項６】
請求項１又は請求項３又は請求項４記載の貝係止具（１）が、ピン（２）と一体成型された可撓性のある連結体（８）により間隔をあけて多数本連結されて、連結された貝係止具（１）をロール状に巻くことが可能としたことを特徴とする連結貝係止具。
【請求項７】
請求項２又は請求項３又は請求項４記載の貝係止具が、第一のロープ止め突起（３）と第二のロープ止め突起（４）を直接又は連結片（７）を介して多数本連結され、連結片（７）を可撓性のある薄片、又は第一、第二のロープ止め突起（３、４）よりも小径で可撓性のある細長軸として、連結された多数本の貝係止具（１）がロール状に巻き取り可能であることを特徴とする連結貝係止具。
【請求項８】
請求項６又は請求項７記載の連結貝係止具（２７）がロール状に巻かれたことを特徴とするロール状連結貝係止具。
【請求項９】
請求項６又は請求項７記載の連結貝係止具（２７）がシート（１８）をあてがってロール状に巻かれて、巻かれた連結貝係止具（２７）間にシート（１８）が介在することを特徴とするロール状連結貝係止具。
【請求項１０】
請求項８又は請求項９記載のロール状連結貝係止具において、連結貝係止具（２７）が巻胴（２５）と鍔（２６）を備えたボビン（２３）にロール状に巻かれたことを特徴とするロール状連結貝係止具。
【発明の詳細な説明】
【０００１】
【発明の属する技術分野】
本発明は帆立貝、真珠貝、その他の貝の養殖に使用される貝係止具と、その貝係止具を多数本連続成型した連結貝係止具と、その連結貝係止具をロール状に巻いたロール状連結貝係止具に関するものである。
【０００２】
【従来の技術】
帆立貝の養殖方法の一つとして耳吊養殖がある。これは図２７のように海面近くに横向きに張った横ロープＡに、予め帆立貝Ｂを取付けた縦ロープＣを縦向きに取り付けて海中に吊す方法である。
【０００３】
帆立貝Ｂを縦ロープＣに取付けるのに貝係止具Ｄが使用されている。貝係止具Ｄには図２０（ａ）（ｂ）、図２１（ａ）（ｂ）に示すようなものがある。これらは、多数本（数千本、数万本）の貝係止具Ｄが可撓性のある連結紐Ｅで連結されてロール状に巻き取り可能としたものである。図２０（ａ）、図２１（ａ）の連結貝係止具Ｆの使用方法は種々あるが、その一つとして、ロール状に巻かれている連結貝係止具Ｆを巻き方向一端から引き出して自動切断差込機にセットし、自動切断差込機により貝係止具Ｄを一本ずつ切り離しながら縦ロープＣに差込む方法がある。
【０００４】
【発明が解決しようとする課題】
図２０（ａ）、図２１（ａ）の連結貝係止具は特にこれといった課題はないが、しいて挙げれば次のような課題がある。
【０００５】
図２０（ａ）の個々の貝係止具Ｄはその軸方向中央部にロープ止め突起が無いため、図２２の一方（例えば右側）の貝止め突起Ｇが切れた場合、その貝止め突起Ｇで係止されていた貝Ｂが落下するだけでなく、残った左側の貝Ｂの重みで貝係止具Ｄが図２２の矢印ａ方向にずれて縦ロープＣから抜けてしまい、他方の貝Ｂまで縦ロープＣから落下してしまうことがある。また、図２３（ａ）（ｂ）のように縦ロープＣに差込まれた貝係止具Ｄが位置ずれして一方の貝Ｂが縦ロープＣに接触し、貝Ｂが縦ロープＣと擦れて貝Ｂにストレスが発生し、図２３（ｃ）のように貝の擦れた部分Ｋが成長不良になって窪んで（くびれて）貝が変形する。更には、図２４のように縦ロープＣに差込まれた貝係止具Ｄが位置ずれして片寄ってしまい、貝係止具Ｄに貝を取付ける（貝の耳に開けた孔に貝係止具Ｄを差込む）ときに貝係止具Ｄの中心が縦ロープＣに位置するように移動（スライド）させて戻さないと貝の孔に差込みにくい。しかし、一々、前記のようにスライドさせるのは作業性が悪く、貝の係止作業に時間がかかる。
【０００６】
図２１（ａ）（ｂ）の貝係止具Ｄにはロープ止め突起Ｈがあるが、二本のロープ止め突起Ｈが貝係止具Ｄのピンの外周の反対側に一本ずつ突出しているため、縦ロープＣに差込まれた貝係止具Ｄがロープ止め突起Ｈの突出していない方向に片寄り易く不安定である。
【０００７】
図２０（ａ）、図２１（ａ）のいずれの貝係止具Ｄも、自動切断差込機で一本ずつ分離されて一本ずつ縦ロープＣに自動的に差込まれ、１本当たり０．７〜１秒程度の高速スピードで差込まれる。この場合、図２５のように貝係止具Ｄにロープ止め突起Ｈがある場合は、ロープ止め突起Ｈの傾斜角度θ（図２５ａ、ｂ）が小さい方が差込み易い。ここで、図２５（ａ）（ｂ）のロープ止め突起Ｈの先端間の間隔Ｌを一定とし、傾斜角度θが大きいロープ止め突起Ｈの根元間間隔をｍ、傾斜角度θが小さいロープ止め突起Ｈの根元間間隔をＭとした場合、Ｍがｍより広くなる。Ｍが広いと差込まれた縦ロープＣの遊び（左右へのずれ幅）が大きくなる。即ち、縦ロープＣに差込まれた貝係止具Ｄが位置ずれし易くなる。貝係止具Ｄが位置ずれすると貝係止具Ｄに係止された貝が縦ロープＣに接触して擦れて、貝にストレスが発生し、貝の成長不良の一因となり、擦れた部分Ｋ他の部分の成長よりも遅れるため、図２３（ｃ）のように貝の擦れた部分Ｋが窪んで（くびれて）変形する。このように変形すると、くびれた部分が成長して変形が直るまでに長い時間がかかり、場合によっては、時間がかかっても変形が直らないこともある。その場合は変形貝となって販売に適さなくなる。更に、前記のように縦ロープＣの遊びが大きくなって貝係止具Ｄが位置ずれし易くなると、位置ずれする貝係止具Ｄのロープ止め突起Ｈが縦ロープＣに衝突して衝撃を受け、そのくり返しによりロープ止め突起Ｈが折れることがあった。ロープ止め突起Ｈが折れて脱落すると、貝係止具Ｄが益々縦ロープＣに沿ってスライドし易くなり、貝が縦ロープＣに益々接触し易くなって貝のストレスが増大し、貝の成長不良が著しくなり、前記のくぼみ発生による変形も著しくなる。
【０００８】
図２０（ａ）、図２１（ａ）のいずれの貝係止具Ｄも、図２０（ｂ）、図２１（ｂ）のように、貝止め突起ＧがピンＩの軸Ｘ−Ｘ上で、しかもピンＩの窪み（寝床）Ｊの上方にあるため、何らかの原因（例えば、波による貝の連続回転）で貝止め突起Ｇが寝床Ｊの上に倒れてしまい、貝が貝係止具Ｄから抜け落ちることがある。
【０００９】
【課題を解決するための手段】
本発明具は、何らかの原因で貝止め突起Ｇが貝係止具Ｄの上に倒れても貝が貝係止具Ｄから抜け落ちないようにした貝係止具と、その貝係止具を多数本連結してロープ状に巻くことができるようにした連結貝係止具と、多数本連結された連結貝係止具をロール状に巻いたロール状連結貝係止具を提供するものである。
【００１０】
本発明の請求項１記載の貝係止具は、ロープ及び貝の孔に差込み可能な細長のピンに、ロープからのピンの抜けを規制するロープ止め突起が突設され、ピンのうちロープ止め突起よりもピンの軸方向外側に貝の抜けを規制する貝止め突起が突設された貝係止具において、貝止め突起はその先端部がピンの外周面よりも外側まで突出するように突設されたものである。
【００１１】
本発明の請求項２記載の貝係止具は、ロープ及び貝の孔に差込み可能な細長のピンに、ロープからのピンの抜けを規制する第一のロープ止め突起と、第二のロープ止め突起とが突設され、両ロープ止め突起はピンの外周の反対側に突設され、ピンのうち第一、第二のロープ止め突起よりもピンの外側に貝の抜けを規制する貝止め突起が突設された貝係止具において、貝止め突起は先端部がピンの外周面よりも外側まで突出するように突設されたものである。
【００１２】
本発明の請求項３記載の貝係止具は、請求項１又は請求項２記載の貝係止具において、貝止め突起がその立ち上がり部からピンの外側に斜めに突設され、又は立ち上がり部の先方途中からピンの外側に斜めに屈曲して突設されて、貝止め突起の先端部がピンの外側に突出するものである。
【００１３】
本発明の請求項４記載の貝係止具は、請求項１又は請求項２記載の貝係止具において、貝止め突起がその立ち上がり部からピンの外側に斜めに湾曲して突設されて、又は立ち上がり部の先方途中からピンの外側に斜めに湾曲して突設されて、貝止め突起の先端部がピンの外側に突出するものである。
【００１４】
本発明の請求項５記載の連結貝係止具は、請求項１乃至請求項４のいずれかに記載の貝係止具が十数本〜数十本配列され、それら貝係止具は各ピンの長手方向両端が貝係止具の配列方向に細長のランナーと一体成型されて連結されたものである。
【００１５】
本発明の請求項６記載の連結貝係止具は、請求項１又は請求項３又は請求項４記載の貝係止具が、ピンと一体成型された可撓性のある連結体により間隔をあけて多数本連結されて、連結された貝係止具がロール状に巻くことが可能なものである。
【００１６】
本発明の請求項７記載の連結貝係止具は、請求項２又は請求項３又は請求項４記載の貝係止具が、第一のロープ止め突起と第二のロープ止め突起を直接又は連結片を介して多数本連結され、連結片を可撓性のある薄片、又は第一、第二のロープ止め突起よりも小径で可撓性のある細長軸として、連結された多数本の貝係止具がロール状に巻き取り可能としたものである。
【００１７】
本発明の請求項８記載のロール状連結貝係止具は、請求項６又は請求項７記載の連結貝係止具がロール状に巻かれたものである。
【００１８】
本発明の請求項９記載のロール状連結貝係止具は、請求項６又は請求項７記載の連結貝係止具がシートをあてがってロール状に巻かれて、巻かれた連結貝係止具間にシートが介在するものである。
【００１９】
本発明の請求項１０記載のロール状連結貝係止具は、請求項８又は請求項９記載のロール状連結貝係止具において、連結貝係止具が巻胴と鍔を備えたボビンにロール状に巻かれたものである。
【００２０】
【発明の実施の形態】
（貝係止具の実施の形態１）
本発明の貝係止具の実施の形態を図１（ａ）〜（ｄ）を参照して説明する。この図の貝係止具１は樹脂成型品であり、縦ロープ及び貝の耳にあけた孔に差込み可能なピン２のほぼ中央部にロープ止め突起３が突設されている。ロープ止め突起３は縦ロープに差込んだ貝係止具１が縦ロープから抜けるのを規制（阻止）するためのものである。ロープ止め突起３はピン２の外周の同方向に二本突設され、互いに内向き斜めに突設されてハ字状になっている。図１（ａ）（ｃ）のロープ止め突起３はピン２の長手方向中央部の外径よりもやや細い丸棒状であるが、それ以外の形状、例えば、三角や四角の棒状とか、楕円形の棒状等であってもよく、又、太さもそれ以外であっても良い。
【００２１】
ピン２は差込み端部（両端部）６が先細りに成型され、貝の孔に差込み易くしてある。ピン２のうちロープ止め突起３よりも外側の両端寄りには貝の抜けを規制する貝止め突起５が突設されている。貝止め突起５はその立ち上がり部（根元）５ｂ側から先端部５ａまで斜め外側に向けて突設されて、先端部５ａがピン２の外周面よりも外側まで突出している。図１（ａ）の二本の貝止め突起５はピン２の反対方向に斜めに突設してある。貝止め突起５の先端部５ａの突出長Ｌ（図１ａ）は長すぎると貝の孔への差込みに支障が生ずるため、支障のない程度とするのが良く、例えば０．２ｍｍ程度が適する。図１（ａ）〜（ｄ）の貝止め突起５は薄板状に成型されているが、貝止め突起５は薄板状ではなく倒伏復帰可能な弾性の丸棒状とかその他の形状とすることもできる。
【００２２】
ピン２のうち貝止め突起５と対向する箇所には、ピン２の外周面よりも一段低い倒伏凹部（寝床）９を形成して、貝止め突起５をその根元（立ち上がり部）５ｂからピン２側に押し倒すと、貝止め突起５が寝床９内に伏して倒れるようにしてある。これにより貝止め突起５は、貝係止具１をピン２の軸方向一端から縦ロープに差し込むときも、貝の耳にあけられている孔に差込むときも、押し倒されて寝床９内に倒れて貝止め突起５が縦ロープ内を貫通し易くなる。倒れた貝止め突起５は縦ロープを貫通し終えたときも、貝の前記孔を貫通し終えたときも、自己の弾性と復元力で自動的に起立して倒れる前の元の状態に復帰する弾性を備えている。
【００２３】
図１（ｃ）に明示されているように、貝止め突起５はその先端部５ａをピン２から離れる方向（立ち上がり方向）に湾曲させて、貝止め突起５に係止された貝が抜けにくくなるようにすると共に、貝止め突起５に貝の荷重が加わってもその荷重は貝止め突起５の根元５ｂまで伝わりにくくなるようにしてある。また、図１（ｅ）に明示するように貝止め突起５の立ち上がり部５ｂの内側５ｃを円弧状に湾曲させて成型して、貝の荷重が外側に向けて貝止め突起５に加わっても立ち上がり部５ｂが裂けにくくなるようにしてある。
【００２４】
（貝係止具の実施の形態２）
本発明の貝係止具の第２の実施の形態を図１（ｆ）を参照して説明する。この図の貝係止具１は貝止め突起５がピン２の両端の夫々に二本ずつ突設され、夫々の端部の二本の貝止め突起５がピン２の外周の反対方向に突設されて貝の抜けを確実に防止できるようにしてある。
【００２５】
（貝係止具の実施の形態３）
本発明の貝係止具の第３の実施形態である図２（ａ）（ｂ）の貝係止具は、基本構造において図１（ａ）のものと同じであり、異なるのは２本の貝係止具５を同方向に傾斜させてピン２の外周面の外側まで突出させたたこと、また、図２（ｂ）に明示されているように、貝係止具５の立ち上がり部５ｂ側をピン２と平行に立ち上げ、先端部５ａを途中からピン２の外側に屈曲させて、先端部５ａをピン２の外周面よりも外側まで突出させたことである。
【００２６】
（貝係止具の実施の形態４）
本発明の貝係止具の第４の実施形態である図２（ｃ）（ｄ）の貝係止具は、基本構造において図１（ａ）のものと同じであり、異なるのは２本の貝係止具５を円弧状にカーブ（湾曲）させてピン２の外側に向けて突出させて、貝係止具５の先端部５ａをピン２の外周面よりも外側まで突出させたことである。この場合、図２（ｃ）に明示されているように、貝係止具５を立ち上がり部５ｂから先端まで湾曲させてある。
【００２７】
（貝係止具の実施の形態５）
本発明の貝係止具の第５の実施形態である図２（ｅ）（ｆ）の貝係止具は基本構造において図２（ｃ）のものと同じであり、異なるのは図２（ｅ）に明示されているように２本の貝係止具５の立ち上がり部５ｂをピン２と平行に立ち上げ、途中から先端側をピン２の外側に円弧状にカーブ（湾曲）させてピン２の外側に突出させることにより、貝係止具５の先端部５ａをピン２の外周面よりも外側まで突出させたことである。
【００２８】
（貝係止具の実施の形態６）
本発明の貝係止具の第６の実施形態を図３（ａ）〜（ｄ）を参照して説明する。この貝係止具１も樹脂成型品であり、基本形状は図２（ａ）の貝係止具１と同様であり、異なるのはロープ止め突起を第一のロープ止め突起３と第二のロープ止め突起４との二つにしたことである。第一のロープ止め突起３はハの字状に形成されており、第二の第２のロープ止め突起４は第一のロープ止め突起３とピン２の外周の反対方向に突設されている。また、第二のロープ止め突起４は第一のロープ止め突起３よりもピン２の中央寄り（内側）の位置に、２本平行に、直線状に突設されている。第二のロープ止め突起４の長さは第一のロープ止め突起３よりも短く形成されている。その長さは任意に決定することができ、例えば０．４〜０．５ｍｍ程度が適するが、場合によっては、第一のロープ止め突起３と第二のロープ止め突起４を同じ長さとしたり、第一のロープ止め突起３よりも第二のロープ止め突起４の長さを長くしたりすることもできる。両ロープ止め突起３、４はピン２の長手方向中央部の外径よりもやや細い丸棒状であるが、それ以外の形状、例えば、三角や四角の棒状とか、楕円形の棒状等であってもよく、又、太さもそれ以外であっても良い。
【００２９】
図３（ａ）の場合、左右の貝係止具５を立ち上がり部５ｂから斜めにして先端部５ａをピン２の外周面よりも外側まで突出させてあるが、左右の貝係止具５は図１（ａ）のようにピン２の外周の異なる方向に突出させることもできる。また、貝係止具５は図２（ａ）のように立ち上がり部５ｂはピン２と平行に立ち上げ、途中から側方に屈曲させて先端部５ａをピン２の外周面よりも外側まで突出させるとか、図２（ｂ）のように立ち上がり部５ｂから外側に湾曲させて先端部５ａをピン２の外周の外側に突出させるとか、図２（ｃ）のように立ち上がり部５ｂはピン２と平行に立ち上げ、途中から側方に湾曲させて先端部５ａをピン２の外周の外側に突出させるとかすることができる。
【００３０】
（連結貝係止具の実施の形態１）
本発明の連結貝係止具の第１の実施形態を図４（ａ）に基づいて説明する。図４（ａ）の連結貝係止具は樹脂成型品であり、図１（ａ）〜（ｄ）、図２（ａ）〜（ｆ）のように、貝止め突起５の先端部５ａがピン２の外周面よりも外側まで突出している貝係止具１を、同じ向きに揃えて間隔をあけて平行に多数本配置し、それら貝係止具１をロープ止め突起３間において可撓性のある連結体８により連結してある。連結する貝係止具１の本数は任意に選択することができ、例えば数千〜数万本とすることができる。連結体８は可撓性のある紐状であり、ピン２と一体成型されている。連結体８の直径は任意に選択可能であり、例えば０．３〜０．４ｍｍ程度が適する。
【００３１】
（連結貝係止具の実施の形態２）
本発明の連結貝係止具の第２の実施形態である図４（ｂ）の連結貝係止具も樹脂成型品であり、基本構成は図４（ａ）の連結貝係止具と同じであり、異なるのは、間隔をあけて同じ向きに揃えた多数本の貝係止具１のロープ止め突起３の外側を紐状の連結体８により一定間隔で連結したことである。この連結体８も可撓性のある紐状であり、ピン２と一体成型されている。連結体８の直径は任意に選択可能であるが、例えば、０．３〜０．４ｍｍ程度が適する。このようにすると連結体８が曲がり易くなり、連結貝係止具をロール状に巻き易くなる。この連結貝係止具における貝係止具１の貝止め突起５の先端部５ａも図１（ａ）（ｂ）、図２（ａ）〜（ｆ）のようにピン２の外周面よりも外側に突出している。
【００３２】
（連結貝係止具の実施の形態３）
本発明の連結貝係止具の第３の実施形態である図４（ｃ）の連結貝係止具も樹脂成型品であり、基本構成は図４（ａ）の連結貝係止具と同じであり、異なるのは、間隔をあけて同じ向きに揃えた多数本の貝係止具１の両端部６を紐状の連結体８で連結したことである。この連結体８も可撓性のある紐状であり、ピン２と一体成型されている。連結体８の直径も任意に選択可能であるが、例えば０．３〜０．４ｍｍ程度が適する。このようにすると連結体８が曲がり易くなり、連結貝係止具をロール状に巻き易くなる。この連結貝係止具における貝係止具１の貝止め突起５の先端部５ａも図１（ａ）（ｂ）、図２（ａ）〜（ｆ）のようにピン２の外周面よりも外側に突出している。
【００３３】
（連結貝係止具の実施の形態４）
本発明の連結貝係止具の第４の実施形態である図４（ｄ）の連結貝係止具も樹脂成型品であり、基本構成は図４（ａ）の連結貝係止具と同じであり、異なるのはピン２のロープ止め突起３の内側を連結体８で連結し、その連結材８を可撓性のある薄いテープ状としたことである。この連結体８も可撓性があり、ピン２と一体成型されている。連結体８の肉厚、幅は任意に選択することができ、例えば、肉厚０．３〜０．４ｍｍ程度、幅４〜５ｍｍ前後が適する。このようにすると連結体８が曲がり易くなり、連結貝係止具をロール状に巻き易くなる。この連結貝係止具における貝係止具１の貝止め突起５の先端部５ａも図１（ａ）（ｂ）、図２（ａ）〜（ｆ）のようにピン２の外周面よりも外側に突出している。
【００３４】
図４（ａ）〜（ｄ）の連結貝係止具も自動切断差込機にセットして、連結貝係止具を引っ張りながら一本ずつ切断して、ロープに差込む。この引っ張りにより、連結されている貝係止具１が撓んで変形すると、一本ずつ所定位置で切断できなくなるとか、切断されても切断箇所の下方に待機している受け具に入らなくなるが、前記連結体８で連結することにより貝係止具１が撓みにくくなり、変形せず、切断されたものが所定位置に落下して受け具内に確実に落下するようになる。
【００３５】
（連結貝係止具の実施の形態５）
本発明の連結貝係止具の第５の実施形態を図５（ａ）に基づいて説明する。図５（ａ）の連結貝係止具も樹脂成型品であり、図３（ａ）（ｂ）のように第二のロープ止め突起４を備え、且つ貝止め突起５の先端部５ａがピン２の外側に突出している貝係止具１を同じ向きに揃えて多数本連結して成型されている。この場合、第一のロープ止め突起３の先端部と隣り合う他の貝係止具１の第二のロープ止め突起４の下端とを直接連結し、この繰り返しにより多数本の貝係止具１を連続的に連結して成型してある。連結する貝係止具１の数は任意に選択することができ、例えば、数千〜数万本とすることができる。
【００３６】
図５（ａ）の連結貝係止具も図５（ｂ）のように一本ずつ分離して使用される。この場合、連結されている両ロープ止め突起３、４の連結部分２２を切断する。切断後の第二のロープ止め突起４は長過ぎるとそれが邪魔になってロープに差込みにくくなるので、長さ０．４〜０．５ｍｍ程度にして差込み易くするのがよい。その程度の長さでもロープへの差込み後の横移動を抑制することができる。このため、連結されている第二のロープ止め突起４の長さが０．４〜０．５ｍｍ程度となる位置で切断するのが望ましい。また、ピン２の直径が１．５ｍｍのとき、第一、第二のロープ止め突起３、４の直径は０．５〜０．６ｍｍ程度が望ましい。この実施形態の連結貝係止具は第一、第二のロープ止め突起３、４を可撓性のあるものとして、ロール状に巻き取ることができるようにしてある。この連結貝係止具における貝係止具１の貝止め突起５の先端部５ａも図１（ａ）（ｂ）、図２（ａ）〜（ｆ）のようにピン２の外周面よりも外側に突出している。
【００３７】
（連結貝係止具の実施形態６）
本発明の連結貝係止具の第６の実施例である図６（ａ）の連結貝係止具の基本的構造は図５（ａ）の連結貝係止具と同じであり、異なるのは、貝係止具１の第一ロープ止め突起３を内側に膨らませて湾曲させたことである。図６（ａ）の連結貝係止具も図６（ｂ）のように一本ずつ分離して使用される。この場合、連結されている両ロープ止め突起３、４の連結部分２２を切断する。切断後の第二のロープ止め突起４は長過ぎるとそれが邪魔になってロープに差込みにくくなるので、長さ０．４〜０．５ｍｍ程度にして差込み易くするのがよい。その程度の長さでもロープへの差込み後の横移動を抑制することができる。この連結貝係止具における貝係止具１の貝止め突起５の先端部５ａも図１（ａ）（ｂ）、図２（ａ）〜（ｆ）のようにピン２の外周面よりも外側に突出している。
【００３８】
（連結貝係止具の実施形態７）
本発明の連結貝係止具の第７の実施形態である図７（ａ）、（ｃ）の連結貝係止具も樹脂成型品であり、図３の貝係止具１を同じ向きに間隔をあけて多数本揃えて、貝係止具１の第一のロープ止め突起３と第二のロープ止め突起４の先端部同士を連結片７（図７ａ、ｃ）を介して連結したものである。連結片７は可撓性のある薄片である。連結片７は第一のロープ止め突起３、第二のロープ止め突起４と同じ材料でそれらと一体に成型されている。連結片７は厚さは０．３〜０．４ｍｍ程度、幅１ｍｍ程度、長さ１ｍｍ程度が適する。第一、第二のロープ止め突起３、４の長さ、直径、ピン２の長さ直径等は前記実施形態のものと同じである。連結片７は第一、第二のロープ止め突起３、４よりも小径の可撓性のある細い軸（ピン）とすることもでき、薄片とか、小径の細い軸（ピン）とすることにより、貝係止具を一本ずつ分離するときに容易に切断することができる。また、それら薄片や細い軸を可撓性のあるものとすることにより、多数本の貝係止具が連結された連結貝係止具がそれら薄片や細い軸から曲がり易くなってロール状に巻き易くなる。この連結貝係止具における貝係止具１の貝止め突起５の先端部５ａも図１（ａ）（ｂ）、図２（ａ）〜（ｆ）のようにピン２の外周面よりも外側に突出している。
【００３９】
図７（ａ）の連結貝係止具も連結片７を切断して図７（ｂ）のように一本ずつ分離して使用される。切断後の第二のロープ止め突起４は長過ぎるとそれが邪魔になってロープに差込みにくくなるので、長さ０．４〜０．５ｍｍ程度にして差込み易くするのがよい。
【００４０】
（連結貝係止具の実施形態８）
本発明の連結貝係止具の第８の実施例を図８（ａ）（ｂ）に基づいて説明する。この連結貝係止具の基本構造は図７の連結貝係止具と同じであり、異なるのは、連結片７で連結された多数本の貝係止具１のピン２を第一、第二のロープ止め突起３、４の内側で連結体８によっても連結し、連結体８を可撓性のある紐としたことである。この紐の直径も０．３〜０．４ｍｍ程度が良い。連結体８は可撓性のある薄片又は可撓性のあるテープ状とすることもできる。連結体８の肉厚は０．３〜０．４ｍｍ程度、幅は１〜２ｍｍ程度とするのが良い。このようにすると連結貝係止具をロール状に巻き易くなる。この連結貝係止具における貝係止具１の貝止め突起５の先端部５ａも図１（ａ）（ｂ）、図２（ａ）〜（ｆ）のようにピン２の外周面よりも外側に突出している。
【００４１】
（連結貝係止具の実施形態９）
本発明の連結貝係止具の第９の実施例である図９（ａ）（ｂ）の連結貝係止具の基本的構造も図７の連結貝係止具と同じであり、異なるのは、連結片７で連結された多数本の貝係止具のピン２を、第一、第二のロープ止め突起３、４の外側をも連結体８によって連結し、連結体８を可撓性のある紐としたことである。紐の直径は０．３〜０．４ｍｍ程度が良い。２本の連結体８は可撓性のある薄片又は可撓性のあるテープ状の片とすることもできる。この場合の連結体８の肉厚も０．３〜０．４ｍｍ程度、幅は１〜２ｍｍ程度とするのが良い。このようにすると連結貝係止具をロール状に巻き易くなる。この連結貝係止具における貝係止具１の貝止め突起５の先端部５ａも図１（ａ）（ｂ）、図２（ａ）〜（ｆ）のようにピン２の外周面よりも外側に突出している。
【００４２】
（連結貝係止具の実施形態１０）
本発明の連結貝係止具の第１０の実施例である図１０の連結貝係止具も、基本構造は図７の連結貝係止具と同じであり、異なるのは、隣接する貝係止具１のピン２の両端を連結体８によって連結し、連結体８を可撓性のある紐としたことである。この紐も直径０．３〜０．４ｍｍ程度が良い。この連結体８も可撓性のある薄片又は可撓性のあるテープ状の片とすることができる。この場合の連結体８の肉厚も０．３〜１ｍｍ程度、幅は１〜３ｍｍ程度とするのが良い。この連結貝係止具における貝係止具１の貝止め突起５の先端部５ａも図１（ａ）（ｂ）、図２（ａ）〜（ｆ）のようにピン２の外周面よりも外側に突出している。
【００４３】
実施形態８〜実施形態１０のいずれの連結貝係止具も、切断するときに自動切断差込機にセットして連結貝係止具を引っ張りながら一本ずつ切断し、ロープに差込む。この引っ張りにより連結されている貝係止具１が撓んで変形すると一本ずつ所定位置で切断できなくなるとか、切断されても切断箇所の下方に待機している受け具に入らなくなるが、前記連結体８を設けることにより貝係止具１が撓みにくくなり、変形せず、切断されたものが所定位置に落下して受け具内に確実に落下する。
【００４４】
（連結貝係止具の実施の形態１１）
本発明の連結貝係止具の第１１の実施形態である図１１（ａ）（ｂ）の連結貝係止具は第一のロープ止め突起３を第二のロープ止め突起４よりも長くし、両者をピン２の外周の反対方向に突設し、隣接する貝係止具１の第一のロープ止め突起３と第二のロープ止め突起４の先端を可撓性のある連結片７を介してほぼＶ字状に連結し、その連結の繰り返しにより多数本の貝係止具を連結したものである。連結片７の肉厚は０．３〜０．４ｍｍ程度にするとその部分が切断し易くなり、その部分から曲がり易くなり、連結貝係止具がロール状に巻き易くなる。この連結貝係止具における貝係止具１の貝止め突起５の先端部５ａも図１（ａ）（ｂ）、図２（ａ）〜（ｆ）のようにピン２の外側に突出している。
【００４５】
（連結貝係止具の実施の形態１２）
本発明の連結貝係止具の第１２の実施形態である図１２（ａ）（ｂ）の連結貝係止具は第一のロープ止め突起３と第二のロープ止め突起４を同じ長さにし、両突起３、４をピン２の外周の反対方向に突設して、隣接する貝係止具１の第一のロープ止め突起３と第二のロープ止め突起４の先端同士を可撓性のある連結片７を介してほぼＶ字状に連結したものである。薄小片１０の肉厚は０．３〜０．４ｍｍ程度にするとその部分が切断し易くなり、その部分から曲がり易くなり、連結貝係止具がロール状に巻き易くなる。この連結貝係止具における貝係止具１の貝止め突起５の先端部５ａも図１（ａ）（ｂ）、図２（ａ）〜（ｆ）のようにピン２の外側に突出している。
【００４６】
（連結貝係止具の実施の形態１３）
本発明の連結貝係止具の第１３の実施形態である図１３（ａ）（ｂ）の連結貝係止具は、第一のロープ止め突起３と第二のロープ止め突起４を円弧状にし、第一のロープ止め突起３を第二のロープ止め突起４よりも長くし、両突起３、４をピン２の外周の反対方向に突設して、隣接する貝係止具１の第一のロープ止め突起３と第二のロープ止め突起４の先端を可撓性のある連結片７を介して半円状に連結したものである。連結片７の肉厚は０．３〜０．４ｍｍ程度にするとその部分が切断し易くなり、その部分から曲がり易くなり、連結貝係止具がロール状に巻き易くなる。この連結貝係止具における貝係止具１の貝止め突起５の先端部５ａも図１（ａ）（ｂ）、図２（ａ）〜（ｆ）のようにピン２の外側に突出している。
【００４７】
（連結貝係止具の実施の形態１４）
本発明の連結貝係止具の第１４の実施形態である図１４（ａ）（ｂ）の連結貝係止具は、基本的には図１３の連結貝係止具と同じであり、異なるのは第一のロープ止め突起３を円弧状に湾曲させ、第一のロープ止め突起３と反対方向に第二のロープ止め突起４を斜めに突設し、両ロープ止め突起３、４の先端を連結片７を介して連結してある。連結片７の肉厚は０．３〜０．４ｍｍ程度、長さは１ｍｍ程度とするとその部分が切断し易くなり、その部分から曲がり易くなり、連結貝係止具がロール状に巻き易くなる。この連結貝係止具における貝係止具１の貝止め突起５の先端部５ａも図１（ａ）、図２（ａ）〜（ｃ）のようにピン２の外側に突出している。
【００４８】
前記した各種実施形態の貝係止具、連結貝係止具では、貝止め突起５がピン２の外周方向一方（ロープ止め突起と同方向）にしか突設されていないが、前記いずれの実施形態の場合も、図１（ｄ）のように貝止め突起５をピン２の外周の反対側両方向に突設することができる。
【００４９】
（連結貝係止具の実施の形態１５）
本発明の連結貝係止具の第１５の実施形態を図１５（ａ）〜（ｃ）に基づいて説明する。この連結貝係止具も樹脂成型品であり、図１（ａ）〜（ｄ）、図２（ａ）〜（ｆ）のように、貝止め突起５の先端部５ａがピン２の外周面よりも外側まで突出している貝係止具１を、同じ向きに揃えて間隔をあけて平行に２０本前後配列し、それら貝係止具１は各ピン２の長手方向両端が細長のランナー１０と一体成型されて梯子状に連結されている。貝係止具１の配列本数は所望本数とすることができる。ランナー１０は細長の角棒状であるが、丸棒状とすることもできる。ランナー１０は連結貝係止具２７を自動切断差込機械にセットして、連結貝係止具２７の貝係止具１を自動的に一本ずつ切断し、切断された貝係止具１を耳吊り養殖用の縦ロープに自動的に差込むときに、連結貝係止具２７をスライドさせるのに使用されるものである。そのため、ランナー１０はピン２の直径と同じか、それよりもやや太くして、スライド時に連結貝係止具２７が変形しないようにしてある。
【００５０】
（連結貝係止具の実施の形態１６）
本発明の連結貝係止具の第１６の実施形態を図１６（ａ）〜（ｃ）に基づいて説明する。この連結貝係止具２７の基本形状は図１５（ａ）〜（ｃ）のものと同じであり、異なるのは、連結されている多数本の貝係止具１が図３（ａ）〜（ｄ）に示すもの、即ち、貝係止具５の先端部がピン２の外周面よりも外側に突出し、ピン２に第２ロープ止め突起４を備えた貝係止具１をランナー１０により多数本連結したことである。
【００５１】
（連結貝係止具の実施の形態１７）
本発明の連結貝係止具２７の第１７の実施形態を図１７に基づいて説明する。この連結貝係止具２７の基本形状も図１５（ａ）〜（ｃ）のものと同じであり、異なるのは、２０本程度の貝係止具１を連結した連結貝係止具２７を間隔をあけて２つ連続して一連に成型したことである。
【００５２】
（ロール状貝係止具の実施形態）
本発明のロール状貝係止具は、前記した連結貝係止具の実施形態１〜１７の連結貝係止具２７を、図１８（ａ）のようにロール状に巻き取ったものである。この場合、連結貝係止具２７に帯状のシート（シートより薄いフィルムを含む）１８を添わせてロール状に巻いて、連結貝係止具の間にシート１８を介在させてある。シート１８には障子紙のような帯状の紙とか、コピー用紙のような質、厚さの紙を帯状に長くしたものとか、帯状に長くした樹脂製のシート等を使用することができるが、使用後の廃棄処分の容易さから紙を使用するのが好ましい。シート１８は幅、長さ共に連結貝係止具２７のそれらと同程度のものが好ましいが、それより短いものを足しながら使用することもできる。本発明のロール状貝係止具はシート１８を介在させずに巻くこともできる。
【００５３】
本発明の連結貝係止具２７は図１８（ｂ）のように巻胴２５の両端に鍔２６を設けたボビン２３の巻胴２５にロール状に巻くこともできる。ボビン２３は肉厚の紙製、樹脂製、木製等とすることができる。紙製の場合は使い捨てに適し、樹脂製、木製等の場合は再使用するのに適する。ボビン２３に巻く連結貝係止具２７の間にはシート１８を介在させても、介在させなくともよい。
【００５４】
本発明の連結貝係止具の使用方法は種々あるが、一例としてはロール状に巻いた連結貝係止具２７をほどいてその一端を自動切断差込み機にセットし、自動切断差込み機により自動的に貝係止具１を一本ずつ切り離して、図１９のように縦ロープ（化学繊維製、例えばナイロン製の紐を編んだロープ）Ｃに差込み、ロープ止め突起３で縦ロープＣから抜けないようにする。縦ロープＣに差し込んだ貝係止具１の端部を帆立貝Ｂの耳に開口してある通孔に差込んで、貝止め突起５をその通孔を貫通させ、帆立貝Ｂの耳を貝止め突起５によって係止する。貝係止具１の長手方向他端を同様に帆立貝Ｂの通孔に差込んで貝止め突起５に帆立貝Ｂの耳を係止する。
【００５５】
【発明の効果】
本件出願の貝係止具は、貝止め突起の先端部がピンの外周面より外側に突出しているので、縦ロープ及び貝の孔にピンを差込んでから、貝止め突起が何らかの原因でピンの寝床に倒伏しても、貝止め突起の先端部はピンの外周面より外側に突出したままとなり、貝がピンから抜けて脱落することがない。このため、海中に吊るした後の貝の歩留まりが向上する。
【００５６】
本件出願の連結貝係止具は前記貝係止具を多数本連結したので、それをピン自動切断差込み機にセットし、一本ずつ切り離しながら縦ロープに差込むことができ、縦ロープへの差込みが自動化され、作業性が向上する。
【００５７】
本件出願の連結貝係止具のうち、多数本の貝係止具の第一のロープ止め突起と第二のロープ止め突起とを連結した連結貝係止具は次のような効果がある。
１．第一のロープ止め突起と第二のロープ止め突起とが基材の周方向反対側に突設されているので、ロープに差込まれた貝連結具が位置ずれしにくく安定する。ロープが第二のロープ止め突起でも位置ずれが防止されるため、ロープ止め突起が衝撃で欠損することが無く、養殖中の貝の脱落も無い。
２．第二のロープ止め突起があるため、図２５（ｂ）のように傾斜角度θを小さくしてロープ止め突起Ｈの根元間の間隔Ｍを図２５（ａ）のｍよりも広くしても、差し込まれた縦ロープとの遊び（左右へのずれ幅）が第二のロープ止め突起により規制されて小さくなる。即ち、縦ロープに差込まれた貝係止具が位置ずれしにくくなる。貝係止具が位置ずれしにくくなると、貝係止具に係止された貝が縦ロープに接触しにくくなり、貝が擦れて貝にストレスが発生することがなく、貝が変形せず、不良品の発生が少なくなる。更に、縦ロープＣと貝係止具との遊びが小さいため、縦ロープへのロープ止め突起の衝突がなく、ロープ止め突起が衝撃を受けず、ロープ止め突起が折れることもない。このため、貝が落下することがなく、養殖の歩留まりが向上する。
３．薄肉片で連結したので、貝係止具の分離が容易になり、ロール状に巻き易くもなる。
４．多数本の貝係止具が同じ向きにして連結されているため、一本ずつ分離してロープに差込む場合に貝係止具の方向が揃い、ロープへの差込み、貝への差込みなどの作業がし易くなる。
５．数十ｍ以上（極言すれば限りなく）長く連続成型された帯状貝係止具をロール状に巻いてあるため、保管や運搬に便利である。また、ピンセッターなどの自動機器にセットして一本ずつ分離してロープに差込む作業を連続して行うことができ、それらの作業能率が向上する。
６．隣接する基材が可撓性連結材で連結されているので、ピン自動切断差込み機にセットして一本ずつ切断するときに、連結貝係止具を引いてピンセッターに引き込んでも貝係止具が変形せず、一本ずつ確実に切断して分離でき、分離された貝係止具が確実に受け治具に落下、収容され、ロープへの差込みが確実になる。
【００５８】
本件出願の梯子状に２０本前後の貝係止具をランナーにより梯子状に連結した連結貝係止具は、形状が変形しにくいため多数枚まとめて自動切断差込機へセットすることができ、セットされた連結貝係止具は自動切断差込機により自動的に一枚ずつ引き出されて、自動的に一本ずつ切断され、切断された貝係止具が一本ずつ自動的に貝養殖用ロープに差込まれる。このため、貝係止具の切断、ロープへの差込み作業が効率良く、確実に行われる。
【００５９】
本件出願のロール状連結貝係止具は前記貝係止具を多数本連結した連結貝係止具がロール状に巻かれているので次のような効果がる。
１．貝係止具が数千、数万本と多くなっても、コンパクトにまとまり、保管に場所をとらず、取り扱いに便利である。
２．巻きを解除してから連結貝係止具と同様にピンセッターにセットして、一本ずつ切り離しながら縦ロープに差し込むことができる、縦ロープへの差込みが自動化され、作業性が向上する。
【００６０】
本件出願の保護シートを介在させて巻いたロール状連結貝係止具は次のような効果がある。
１．数十ｍ以上長く連続成型された連結貝係止具は、保管や運搬の仕方によっては貝係止具のロープ止め突起同士が絡まったり、貝止め突起同士が絡まったり、基材の端部が曲がったりして、引き出しにくいとか、一本ずつ分離しにくくなることがあるが、保護シートがあるため、そのようなことがない。
２．保護シートがあるため、きつく巻いてロールを硬くすることができ、ロール状に巻いた連結貝係止具を基材の端部が上下になるように立てて保管したり、運送したりすることができるため、連結貝係止具の扱いが容易になる。
３．保護シートがあるため、連結されている多数の貝係止具同士が絡まり合うことがなく、連結貝係止具の巻き戻し（引き出し）がスムースになり、自動ピンセッターなどへのセットが容易になり、使い易くなる。
４．保護シートがあるため、ロール状に巻いた連結貝係止具をピンの端部を上下にして立てておいても、ピンの端部が曲がらない。このため、自動ピンセッターでの処理が円滑に行われる。
５．保護シートを紙にすれば廃棄処分が容易になる。
【００６１】
本件出願の連結貝係止具をボビンにロール状に巻いたロール状連結貝係止具の場合は、ボビンを回転軸にセットして連結貝係止具をボビンから引き出すことができるため、ボビンの回転が円滑になり、貝係止具の１本ずつの切断、切断した貝係止具のロープへの差込みがスムースに行われる。ボビンに鍔があるため貝係止具をロール状に巻いた鍔を重ねて保管したり、収納したりすることができ、取り扱いに便利である。
【図面の簡単な説明】
【図１】（ａ）は本発明の貝係止具の第一の例を示す平面図、（ｂ）は（ａ）の右側面図、（ｃ）は（ａ）の正面図、（ｄ）は（ｃ）の右側面図、（ｅ）は（ａ）の貝係止具の貝係止突起の根元部分の詳細図、（ｆ）は本発明の貝係止具の第二の例を示す一部の正面図。
【図２】（ａ）は本発明の貝係止具の第三の例を示す平面図、（ｂ）は（ａ）の右側面図、（ｃ）は本発明の貝係止具の第四の例を示す平面図、（ｄ）は（ｃ）の右側面図、（ｅ）は本発明の貝係止具の第五の例を示す平面図、（ｆ）は（ｅ）の右側面図。
【図３】（ａ）は本発明の貝係止具の第六の例を示す平面図、（ｂ）は（ａ）の右側面図、（ｃ）は本発明の貝係止具の第七の例を示す平面図、（ｄ）は（ｃ）の右側面図。
【図４】（ａ）は本発明の連結貝係止具の第一の例を示す正面図、（ｂ）は本発明の連結貝係止具の第二の例を示す正面図、（ｃ）は本発明の連結貝係止具の第三の例を示す正面図、（ｄ）は本発明の連結貝係止具の第四の例を示す正面図。
【図５】（ａ）は本発明の連結貝係止具の第五の例を示す正面図、（ｂ）は（ａ）の連結貝係止具から分離した貝係止具の説明図。
【図６】（ａ）は本発明の連結貝係止具の第六の例を示す正面図、（ｂ）は（ａ）の連結貝係止具から分離した貝係止具の説明図。
【図７】（ａ）は本発明の連結貝係止具の第七の例を示す正面図、（ｂ）は（ａ）の連結貝係止具から分離した貝係止具の説明図、（ｃ）は（ａ）の右側面図。
【図８】（ａ）は本発明の連結貝係止具の第八の例を示す正面図、（ｂ）は（ａ）の右側面図。
【図９】（ａ）は本発明の連結貝係止具の第九の例を示す正面図、（ｂ）は（ａ）の右側面図。
【図１０】（ａ）は本発明の連結貝係止具の第十の例を示す正面図、（ｂ）は（ａ）の右側面図。
【図１１】（ａ）は本発明の連結貝係止具の第十一の例を示す正面図、（ｂ）は（ａ）の連結部分の詳細図。
【図１２】（ａ）は本発明の連結貝係止具の第十二の例を示す正面図、（ｂ）は（ａ）の連結部分の詳細図。
【図１３】（ａ）は本発明の連結貝係止具の第十三の例を示す正面図、（ｂ）は（ａ）の連結部分の詳細図。
【図１４】（ａ）は本発明の連結貝係止具の第十四の例を示す正面図、（ｂ）は（ａ）の連結部分の詳細図。
【図１５】（ａ）は図２（ａ）の貝係止具を連結した連結貝係止具の平面図、（ｂ）は（ａ）の連結貝係止具の正面図、（ｃ）は（ｂ）の連結貝係止具の側面図。
【図１６】（ａ）は図３（ａ）の貝係止具を連結した連結貝係止具の平面図、（ｂ）は（ａ）の連結貝係止具の正面図、（ｃ）は（ｂ）の連結貝係止具の側面図。
【図１７】図１５（ｂ）の連結貝係止具を二つ連結した連結貝係止具の正面図である。
【図１８】（ａ）は本発明のロール状連結貝係止具の一例を示す平面図、（ｂ）は本発明のロール状連結貝係止具の他例を示す正面図。
【図１９】本発明の連結貝係止具から分離した貝係止具の使用説明図。
【図２０】（ａ）は従来の連結貝係止具の一例を示す平面図、（ｂ）は（ａ）の連結貝係止具から分離した貝係止具の平面図。
【図２１】（ａ）は従来の連結貝係止具の他例を示す平面図、（ｂ）は（ａ）の連結貝係止具から分離した貝係止具の平面図。
【図２２】従来の貝係止具の使用説明図。
【図２３】（ａ）、（ｂ）は従来の貝係止具の異なる例の使用説明図、（ｃ）は（ｂ）のように縦ロープに接触して接触部分が成長しきれなかった貝の正面説明図。
【図２４】従来の貝係止具をロープに差込んだ状態の正面図。
【図２５】（ａ）、（ｂ）は従来の貝係止具の傾斜角度θ、Θが異なる例の説明図。
【図２６】（ａ）、（ｂ）は従来の貝係止具の傾斜角度θ、Θが異なる場合のロープの位置ずれ説明図。
【図２７】貝係止具を使用した帆立貝の耳吊り養殖説明図。
【符号の説明】
１  貝係止具
２  ピン
３  第一のロープ止め突起
４  第二のロープ止め突起
５  貝止め突起
５ａ  貝止め突起の先端部
５ｂ  貝止め突起の立ち上がり部
６  差込み端部（両端部）
７  連結片
８  連結体
１８  シート
２３  ボビン
２５  巻胴
２６  鍔
【図１】
2005006568.tif 000003
【図２】
2005006568.tif 000004
【図３】
2005006568.tif 000005
【図４】
2005006568.tif 000006
【図５】
2005006568.tif 000007
【図６】
2005006568.tif 000008
【図７】
2005006568.tif 000009
【図８】
2005006568.tif 000010
【図９】
2005006568.tif 000011
【図１０】
2005006568.tif 000012
【図１１】
2005006568.tif 000013
【図１２】
2005006568.tif 000014
【図１３】
2005006568.tif 000015
【図１４】
2005006568.tif 000016
【図１５】
2005006568.tif 000017
【図１６】
2005006568.tif 000018
【図１７】
2005006568.tif 000019
【図１８】
2005006568.tif 000020
【図１９】
2005006568.tif 000021
【図２０】
2005006568.tif 000022
【図２１】
2005006568.tif 000023
【図２２】
2005006568.tif 000024
【図２３】
2005006568.tif 000025
【図２４】
2005006568.tif 000026
【図２５】
2005006568.tif 000027
【図２６】
2005006568.tif 000028
【図２７】
2005006568.tif 000029